(57)【特許請求の範囲】
【請求項１】
照明を行う照明装置を備える照明ユニットであって、
音を出力する音響装置と、
情報を受信する受信装置と、をさらに備え、
公衆無線通信回線から供給される情報であって地震による揺れが到達することを予測した緊急地震速報を前記受信装置が受信したときに、前記照明装置は照明態様を所定の態様に変化させ、前記音響装置は所定の音を出力することで、前記揺れが到達する可能性があることを報知し、
前記照明ユニットは、所定部に設けられた１つの電力供給部に接続され、
前記照明装置と前記音響装置と前記受信装置とは、前記照明ユニットが前記電力供給部に接続されたときに前記所定部における同じ位置に配置され、前記電力供給部からの電力により動作し、
前記受信装置は、携帯電話機と無線通信を行い、前記公衆無線通信回線から当該携帯電話機に供給され当該携帯電話機により転送された前記緊急地震速報を受信する、
ことを特徴とする照明ユニット。
【請求項２】
前記照明ユニットは、上部位置に取り付けられる、
ことを特徴とする請求項１に記載の照明ユニット。
【請求項３】
前記音響装置は、前記所定の音を出力するスピーカを備え、当該スピーカによって、所定の音声データが表す音声を再生可能である、
ことを特徴とする請求項１又は２に記載の照明ユニット。
【請求項４】
前記照明装置は、リモートコントローラによって遠隔操作され、
前記照明装置は、前記緊急地震速報を前記受信装置が受信したときに前記照明態様を変化させている間は、前記リモートコントローラからの操作に応答しない、
ことを特徴とする請求項１から３のいずれか１項に記載の照明ユニット。
【発明の詳細な説明】
【技術分野】
【０００１】
本発明は、照明ユニットに関する。
【背景技術】
【０００２】
照明ユニットの利便性を向上するために、より高度な機能や相互の連係を照明ユニットに持たせることが求められている。一例として、特許文献１には、照明装置にスピーカを組み込む技術が記載されている。
【先行技術文献】
【特許文献】
【０００３】
【特許文献１】特開２０１１−５５３３１号公報
【発明の概要】
【発明が解決しようとする課題】
【０００４】
ところで、現在公衆に配信される緊急情報として、地震による大きな揺れの到達前にその地震の震度や震源などを気象庁が配信する緊急地震速報がある。緊急地震速報を受信した電気機器（例えば、携帯端末など）は、震度や震源などを報知することによって、揺れが到達する可能性があることなどを報知するが、周囲の人間への報知が上手くいかない場合があった。
【０００５】
本発明は上記点に鑑みてなされたものであり、その目的とするところは、地震による揺れが到達する可能性があることを周囲の人間に対してより確実に認識させることができる照明ユニットを提供することにある。
【課題を解決するための手段】
【０００６】
上記目的を達成するため、本発明に係る照明ユニットは、
照明を行う照明装置を備える照明ユニットであって、
音を出力する音響装置と、
情報を受信する受信装置と、をさらに備え、
公衆無線通信回線から供給される情報であって地震による揺れが到達することを予測した緊急地震速報を前記受信装置が受信したときに、前記照明装置は照明態様を所定の態様に変化させ、前記音響装置は所定の音を出力することで、前記揺れが到達する可能性があることを報知し、
前記照明ユニットは、所定部に設けられた１つの電力供給部に接続され、
前記照明装置と前記音響装置と前記受信装置とは、前記照明ユニットが前記電力供給部に接続されたときに前記所定部における同じ位置に配置され、前記電力供給部からの電力により動作し、
前記受信装置は、携帯電話機と無線通信を行い、前記公衆無線通信回線から当該携帯電話機に供給され当該携帯電話機により転送された前記緊急地震速報を受信する、
ことを特徴とする。
【発明の効果】
【０００７】
本発明によれば、地震による揺れが到達する可能性があることを周囲の人間に対してより確実に認識させることができる。
【図面の簡単な説明】
【０００８】
【図１】本発明の一実施の形態に係る照明ユニットの構成図である。
【図２】図１のリモートコントローラの外観図である。
【図３】図１の照明側制御部と音響側制御部との接続部付近の回路図である。
【発明を実施するための形態】
【０００９】
以下、添付図面を参照して、本発明の一実施の形態を説明する。図１は、本実施形態における照明ユニットを示す。以下、本照明ユニットは音響機能を持っている。照明ユニット１は、音響装置２と、照明装置３とを備え、両者は接続され、組み合わさっている。照明ユニット１は、天井の引掛けシーリングなどの系統電源１３に取り付けられることによって、天井に設置される。音響装置２と照明装置３とのそれぞれを動作させるのに必要な電力は、系統電源１３から供給されるようになっている。
【００１０】
照明装置３は、蛍光灯やＬＥＤ照明などの照明器具からなる照明部６を備える。照明装置３は更に、ＩＲ（赤外線）受信部７と照明側制御部８とを備える。利用者は、リモートコントローラ４を操作することによって照明装置３を制御することができる。
【００１１】
図２は、リモートコントローラ４の一例を示す。リモートコントローラ４は、電源ボタン１７−１と照度ボタン１８、１９とを備える。利用者が電源ボタン１７−１を操作すると、リモートコントローラ４が備える赤外線出力部は、その操作に応じて電源のオン又はオフを指令する赤外線信号を出力する。ＩＲ受信部７がその赤外線信号を受信すると、照明側制御部８のマイコンがその信号を解読し、その指令に応じて照明部６を点灯又は消灯に制御する。リモートコントローラ４は更に照度ボタン１８、１９を備える。利用者が照度ボタン１８、１９を操作すると、電源操作と同様にして、照明側制御部８は照明部６の照度を制御する。
【００１２】
音響装置２は、携帯電話機やスマートフォンに例示される携帯端末５との間で近距離無線通信の信号を搬送する電波１４、１５を双方向に送受信する機能を有する。携帯端末５に替えて、ＰＣ（Ｐｅｒｓｏｎａｌ  Ｃｏｍｐｕｔｅｒ）等の情報処理装置を使用してもよい。音響装置２の通信相手は、照明ユニット外部の外部機器であればよい。本実施形態においては、この近距離無線通信はＢｌｕｅｔｏｏｔｈ（登録商標）の規格に基づいているものとする。この機能を使用する場合、利用者は携帯端末５と音響装置２との各々に対して所定のペアリング操作を行うことによって、これら二者間の通信の接続を確立する。
【００１３】
通信が確立された後、利用者が携帯端末５に対して所定の操作を行うことにより、例えばある音声（音楽の楽曲を含む）が選択され、携帯端末５の記憶装置に格納された音声データ（例えば、楽曲データ）が電波１５に搬送されて音響装置２に送信される。音響装置２が備えるブルートゥース送受信部１２は、その音声データを受信する。音響装置２が備える音響側制御部９とスピーカ１０とは、一般的なオーディオ機器が備えるアンプ機能と音声出力機能とをそれぞれ有し、ブルートゥース送受信部１２が受信した音声データに基づいて、この音声データによって表される楽曲を再生する。天井に吊るされた音響装置２のスピーカ１０によって楽曲が再生されることにより、音響機器を設置するための場所及び配線場所が小さくて済み、更に、床置きや壁面設置のスピーカと異なる音響が得られる。
【００１４】
照明装置３は、電気信号線によっても音響装置２と接続される。電気信号線は、照明装置３と音響装置２との間で電気信号１６、１７を双方向に通信する。図３は、照明側制御部８と音響側制御部９との接続部付近を示す回路図である。照明側制御部８のプラグ３２と音響側制御部９のプラグ３３とを接続することにより、図１に示す電気信号１６、１７の双方向の通信が実現される。
【００１５】
照明装置３と音響装置２との通信機能を用いて、音響装置２と携帯端末５との連係をより簡易化することができる。その一例として、リモートコントローラ４は、音響装置２と携帯端末５との間で近距離無線通信の回線の接続を指令する信号を発信する機能を有する。具体的には、リモートコントローラ４は、図２に示すように、音響装置２と携帯端末５とのＢｌｕｅｔｏｏｔｈ通信のペアリングを行うためのＢ・Ｔペアリングボタン２２を備える。図２の例では、リモートコントローラ４自身はＢｌｕｅｔｏｏｔｈ通信の機能を持たないが、音響装置２のＢｌｕｅｔｏｏｔｈ通信のペアリングを補助する機能を有する。
【００１６】
利用者は、音響装置２と携帯端末５との連係を行いたいとき、携帯端末５に所定のペアリング操作を行うと共に、リモートコントローラ４のＢ・Ｔペアリングボタン２２を操作する。その操作に応答して、ペアリング指令の赤外線信号が発信される。ＩＲ受信部７がペアリング指令信号を受信すると、照明側制御部８からそのＩＲコードが電気信号１７として音響側制御部９に伝送される。図３の回路図では、ＩＲ受信部７が受信したＩＲコードの信号は、照明側制御部８の照明マイコン３０に伝送されると共に、バッファ３５、プラグ３２、３３、及びフォトカプラ３６を介して音響側制御部９のスピーカマイコン３１（ＣＰＵ（Central Processing Unit）、ＣＰＵのメインメモリとして機能するＲＡＭ（Random Access Memory）、プログラム、データなどを記憶するＲＯＭ（Read Only Member）などを備え、ＣＰＵが、ＲＯＭに記憶されたプログラムに従って、ＲＯＭに記憶されたデータなどを用いて処理を行うことで、スピーカマイコン３１が実行する処理が行われる。）に伝送される。
【００１７】
伝送されたＩＲコードに応答して、音響側制御部９のスピーカマイコン３１はペアリングをブルートゥース送受信部１２を制御して実行する。その結果、音響装置２（音響側制御部９）と携帯端末５との間の通信の接続が確立する。このようにして、携帯端末５とリモートコントローラ４とを利用者が手元で操作することによって、携帯端末５と音響装置２のペアリングが可能となる。
【００１８】
本実施形態における照明ユニット１は更に、公衆無線通信回線を介して緊急地震速報を受信する緊急地震速報受信装置１１を備える。緊急地震速報受信装置１１は、緊急地震速報を受信したとき、音響装置２に対して緊急時用の音声を出力する指令を発し、且つ照明装置３に対して緊急時用の制御指令を発する。
【００１９】
緊急地震速報受信装置１１が配置される位置はどこでもよいが、図１の例では、音響装置２の筺体の内部に設置される。このような配置は、緊急地震速報の基本的な機能が音響による警告であるという点で好ましい。このような配置により、例えば照明装置３を保有する利用者が音響装置２を追加で購入する際に、特別な設置の手間なく緊急地震速報機能を利用できるようになる。
【００２０】
緊急地震速報受信装置１１が緊急地震速報（例えば、信号として伝送されてくる。）を受信すると、音響側制御部９（例えば、スピーカマイコン３１）はスピーカ１０によって特定の警告音を出力する。緊急地震速報の出力用に専用の音声出力装置を設けてもよいが、携帯端末５から送信された楽曲を再生するためのスピーカ１０を緊急地震速報にも利用すると、装置が簡略化できる。警告音によって、地震による揺れが到来する可能性があることを報知できる。緊急地震速報は、地震による大きな揺れの到達前にその地震の震度や震源などを気象庁が配信する警告情報である。
【００２１】
緊急地震速報を出力するための家庭用の専用機器は存在するが、それらに比べて、本実施形態の場合は、一般的な専用機器と異なり、床や壁などに設置場所を設ける必要が無い。更に、電源として照明用に常時接続される系統電源１３を用いることができるため、電源が切れる心配が少なく、配線も簡単である。
【００２２】
音響側制御部９に緊急地震速報が伝送されると、図３のスピーカマイコン３１は、フォトカプラ３７、プラグ３３、３２、ＡＮＤ回路３４を介して照明マイコン３０に緊急地震速報を伝送する。緊急地震速報を受信した照明マイコン３０（ＣＰＵ、ＣＰＵのメインメモリとして機能するＲＡＭ、プログラム、データなどを記憶するＲＯＭなどを備え、ＣＰＵが、ＲＯＭに記憶されたプログラムに従って、ＲＯＭに記憶されたデータなどを用いて処理を行うことで、照明マイコン３０が実行する処理が行われる。）は、所定の警告動作を行うように照明部６を制御する。例えば、照明部６が消灯されている場合、及び夜間の減光を行っている場合には、夜間の就寝中であるか、又は夜間の使用されていない部屋である可能性があると考えられる。従って、このような場合には、照明側制御部８は、照明部６をオンし所定以上の明るさとなるように警告動作を行う。室内が明るくなり視界が良好となるため、利用者は地震波の到来の前後に、適切な動作を取ることができる。更に、照明部６が通常の点灯をしているときは、例えば点灯と消灯を交番的に繰り返すことにより、利用者に非常事態であることを知らせることができる。このような警告動作によって、照明装置３は、照明態様（点灯している状態の他、消灯している状態を含む。）を所定の態様（点灯する状態、点滅する状態、消灯する状態など）に変化させ、地震による揺れが到来する可能性があることを報知できる。
【００２３】
好ましくは、照明ユニット１が緊急地震速報を受信している間は、リモートコントローラ４からの操作はブロックされ、利用者が操作しても、音響装置２（音響側制御部９）や照明装置３（照明側制御部８）は、それに応答した動作を行わない（例えば、ＩＲコードを無効化する）。特に、照明装置３を消すための消灯ボタンに対する操作をブロックすることが望ましい。このような制御により、緊急地震速報の発生時に利用者が誤ってリモートコントローラの消灯ボタンを押下して、警告動作を中止してしまうなどの不都合を防ぐことができる。
【００２４】
本実施形態では、音と光の両者によって、地震による揺れが到達する可能性があることを周囲の人間に対して認識させることができるため、地震による揺れが到達する可能性があることをより確実に認識させることができる。また、照明器具は各部屋に設置されているため、以上に説明した照明ユニット１を各部屋に採用すれば、場所・状況を問わずに音・光による緊急情報をキャッチすることができる。特に、照明ユニット１は、天井に設置されるため、特に障害物なく、周囲の人間に地震についての報知を行うことができ、地震による揺れが到達する可能性があることを周囲の人間に対してより確実に認識させることができる。さらに、照明ユニット１は、天井に設置されることにより、部屋の中央部に設置されることが多いため、作業等の状況を問わずに迅速に情報を受けられる。また、この実施の形態では、光と音によって、報知を行うため、視覚又は聴覚の障がいを持つ方にも地震についての報知を認識させることができる。
【００２５】
以上の実施形態では、照明ユニット１が緊急地震速報を常時、受信できる点で好ましい。一方で、以下に説明する変形例は、照明ユニット１内部の緊急地震速報受信装置１１を省略した簡略な構成で実現できるという長所を有する。
【００２６】
（変形例）
本変形例においては、音響装置２の緊急地震速報受信装置１１の代わりに、ブルートゥース送受信部１２が、携帯端末５を介して緊急地震速報を間接的に受け取る受信装置の機能を果たす。本変形例における携帯端末５は、緊急地震速報を受信する機能を有する。利用者は、例えば携帯端末５に格納された音楽をスピーカ１０から出力するために、あるいは睡眠時などに緊急地震速報をスピーカ１０と照明部６から出力するために、携帯端末５とリモートコントローラ４のＢ・Ｔペアリングボタン２２とを操作する。その操作により、携帯端末５とブルートゥース送受信部１２との通信の接続が確立する。Ｂ・Ｔペアリングボタン２２は手元で操作できるため、例えば就寝時に設定するのが容易である。
【００２７】
利用者は、携帯端末５に所定の操作を行うことにより、緊急地震速報を受信したときにＢｌｕｅｔｏｏｔｈ通信のペアリング相手に緊急地震速報を送信するように設定することができる。利用者は、そのような転送設定を行った上で、携帯端末５とブルートゥース送受信部１２とのペアリングを行う。
【００２８】
以上の転送設定及びペアリングが設定された状態で、携帯端末５が緊急地震速報を受信すると、電波１５により緊急地震速報がブルートゥース送受信部１２に転送される。ブルートゥース送受信部１２が緊急地震速報を受信すると、音響側制御部９はスピーカ１０により警告音を出力する。更に、緊急地震速報は照明側制御部８に送信され、照明部６が警告動作を行う。
【００２９】
スピーカ１０によって緊急地震速報の警告音を出力するために、音響側制御部９が警告音の音声データを予め格納していてもよい。一方、携帯端末５から警告音の音声データをブルートゥース送受信部１２に送信し、その音声データによって警告音を出力するようにしておくと、警告音の専用データを照明ユニット１側で記憶する必要が無く、通常の音楽の再生と同様に音声出力をすることができる。
【００３０】
このような動作により、携帯端末５が記憶する楽曲を天井のスピーカ１０から出力する機能を用いて、携帯端末５が受信した緊急地震速報をスピーカ１０から出力し、更に照明部６でも警告動作を行うことが可能になる。
【００３１】
緊急地震速報受信装置１１、ブルートゥース送受信部１２などの受信装置が受信する情報は、地震による揺れ（特に、所定震度（例えば、震度５）以上の大きな揺れ）が到達することを予測した地震情報であればよく、緊急地震速報以外の情報であってもよい。地震情報は、東海大地震の予測情報など、近い将来地震が起こる可能性を報知する情報であってもよい。また、緊急地震速報に基づいた情報であってもよい。例えば、上記変形例では、携帯端末５は、緊急地震速報を転送していたが、携帯端末５は、緊急地震速報の受信に応答して、予め定められた内容の信号を地震情報として、ブルートゥース送受信部１２に送信してもよい。受信装置は地震情報を受信したときに、受信した旨を照明装置３や音響装置２に供給してもよい。照明装置３や音響装置２は、受信装置が地震情報を受信した場合に、警告動作や警告音の出力を行えばよい。音響装置２は、受信装置が地震情報を受信したときに、警告音を出力する専用のブザーなどであってもよい。
【００３２】
音響装置２と照明装置３とは、組み合わさって照明ユニットを構成するものであればよい。音響装置２は、照明装置３の内部にその少なくとも一部が配置されてもよい。音響装置２、照明装置３、地震情報の受信装置を備える照明ユニットは、１つの筐体内に各装置が収納されたものであってもよい。照明装置３は、例えば、赤、青など、通常時における色（例えば、白色など）とは異なる色に発光する発光部を備えるようにし、地震情報を受信装置が受信したときに、前記異なる色に発光する発光部を発光させることによって、照明色を通常とは異なる色にすることで、照明態様を所定の態様に変化させ、揺れの到来の可能性を報知してもよい。
【００３３】
照明ユニットの取り付け場所は、人間の頭上よりも上にある上部位置であればよく、天井の他、電柱などであってもよい。つまり、照明ユニットは、街灯などにもなりうる。このような場合であっても、地震による揺れが到達する可能性があることを周囲の人間に対してより確実に認識させることができる。
【００３４】
上記の実施形態などの一部又は全部は、以下の付記のようにも記載されうるが、以下に限られない。
【００３５】
（付記１）
照明を行う照明装置を備える照明ユニットであって、
音を出力する音響装置と、
情報を受信する受信装置と、をさらに備え、
地震による揺れが到達することを予測した地震情報を前記受信装置が受信したときに、前記照明装置は照明態様を所定の態様に変化させ、前記音響装置は所定の音を出力することで、前記揺れが到達する可能性があることを報知する、
ことを特徴とする照明ユニット。
【００３６】
（付記２）
前記照明ユニットは、上部位置に取り付けられる、
ことを特徴とする付記１に記載の照明ユニット。
【００３７】
（付記３）
前記地震情報は、公衆無線通信回線から供給される緊急地震速報である、
ことを特徴とする付記１又は２に記載の照明ユニット。
【００３８】
（付記４）
前記受信装置は、端末装置から無線通信によって前記地震情報を受信する、
ことを特徴とする付記１から３のいずれかに記載の照明ユニット。
【００３９】
（付記５）
前記音響装置は、前記所定の音を出力するスピーカを備え、当該スピーカによって、所定の音声データが表す音声を再生可能である、
ことを特徴とする付記１から４のいずれかに記載の照明ユニット。
【００４０】
（付記６）
前記照明装置は、リモートコントローラによって遠隔操作され、
前記照明装置は、前記地震情報を前記受信装置が受信したときに前記照明態様を変化させている間は、前記リモートコントローラからの操作に応答しない、
ことを特徴とする付記１から５のいずれかに記載の照明ユニット。
【符号の説明】
【００４１】
１  照明ユニット
２  音響装置
３  照明装置
４  リモートコントローラ
５  携帯端末
６  照明部
７  ＩＲ受信部
８  照明側制御部
９  音響側制御部
１０  スピーカ
１１  緊急地震速報受信装置
１２  ブルートゥース送受信部
１３  系統電源
１４  電波
１５  電波
１６  電気信号
１７  電気信号
１７−１  電源ボタン
１８  照度ボタン
１９  照度ボタン
２０  音量ボタン
２１  音量ボタン
２２  Ｂ・Ｔペアリングボタン
３０  照明マイコン
３１  スピーカマイコン
３２  プラグ
３３  プラグ
３４  ＡＮＤ回路
３５  バッファ
３６  フォトカプラ
３７  フォトカプラ
【図１】
0006319783.tif 000002
【図２】
0006319783.tif 000003
【図３】
0006319783.tif 000004